(57)【要約】      （修正有）【課題】咲いた花を上方向から見ることを目的とする立体フラワーベースを提供する。【解決手段】台座の一辺に、ほぼＬ字型又は湾曲Ｌ字型に立てられたフロントパネル部に窓部を設け、窓部に着脱式の格子又は網目シートを設置し、フロントパネルの裏側の台座に水入れを設置する。フロントパネル前面の窓部の格子又は網目の目より花の茎を挿し入れ、水入れに設置された茎飛び出し防止ネットに茎を通し安定させる。【選択図】図４
0003162547.tif 000002
【実用新案登録請求の範囲】
【請求項１】
台座の一辺に、ほぼＬ字型又は湾曲Ｌ字型に立てられたフロントパネル部に適宜な大きさの切り抜かれた窓部を設け、窓部の裏側に設けられた固定枠に着脱式の格子又は網目シートを設置し、台座上面には、万能クロス・シャムワウのような吸水性に富んだ吸水シートを設け、この上に水入れを置き、水入れの上面は開口部であり、開口部の後部側（フロントパネルから見て反対側）の縁の上面に複数のネット取り付け突起部を設け、対向側の縁近くの縦面にも２箇所程にネット受け突起部を設け、茎飛び出し防止ネットの一端を、他端（先端）をネット受け突起部の下にくるようにして、ネット取り付け突起部に取り付け、茎飛び出し防止ネットの先端は、ネット受け突起部より下方に自由に上下動ができ、水入れの容器の外側に一箇所排水栓を設けたことを特徴とする立体フラワーベース。
【考案の詳細な説明】
【技術分野】
【０００１】  本発明は、切り花を飾るための立体フラワーベースに関するものである。
【背景技術】
【０００２】  従来、切り花を飾るには、花瓶、オアシス、剣山等を使用して、挿した花を横方向から見ていた。
なお、花の配置を自在に選べる花器がある。（特許文献１参照）
【先行技術文献】
【特許文献】
【０００３】
【特許文献１】  公開平５−８０３６７
【考案の概要】
【考案が解決しようとする課題】
【０００４】  切り花を花瓶やオアシス、剣山等に挿した場合、その花を横方向から見ることになる。広がりは感じることが出来るが、花の姿を上方向から見ることは少ない。茎の長さ調節、花の位置、束の崩れ防止などのテクニックが必要である。
花瓶は、置いた時に不安定であり倒れたり割れたりする危険性がある。
本発明は、以上の問題点を解決するためになされたものである。
【課題を解決するための手段】
【０００５】  台座の一辺に、ほぼＬ字型又は湾曲Ｌ字型に立てられたフロントパネル部に適宜な大きさの切り抜かれた窓部を設ける。窓部の裏側に設けられた固定枠に着脱式の格子又は網目シートを設置する。台座上面には、万能クロス・シャムワウのような吸水性に富んだ吸水シートを設け、この上に水入れを置く。水入れの上面は開口部であり、開口部の後部側（フロントパネルから見て反対側）の縁の上面に複数のネット取り付け突起部を設け、対向側の縁近くの縦面にも２箇所程にネット受け突起部を設ける。茎飛び出し防止ネットの一端を、他端（先端）をネット受け突起部の下にくるようにして、ネット取り付け突起部に取付ける。茎飛び出し防止ネットの先端は、ネット受け突起部より下方に自由に上下動ができる。水入れの容器の外側に一箇所排水栓を設ける。
以上の構成によりなる立体フラワーベースである。
【考案の効果】
【０００６】（イ）茎の長さ調節、花の向き、位置等のテクニック不要。
（ロ）網穴に茎が固定されるので、挿した花の位置がずれず型崩れしない。
（ハ）花を網目に挿入するだけで簡単で手軽。
（ニ）少ない花でもボリューム感が出せる。
（ホ）花の種類、大きさにかかわらず自由自在な表現が可能。
（ヘ）飾る場所を選ばない。狭い場所にも対応可能（トイレ、洗面所、机上など）
（ト）ベッドに寝た状態（病院など）でも花の姿が見える。
（チ）花だけでなく、パネルと共にインテリア性を楽しめる。
（リ）安定感があり、倒れる心配がない。
（ヌ）オアシスにも対応可能。
【図面の簡単な説明】
【０００７】
【図１】  本発明の斜視図
【図２】  本発明を裏側から見た斜視図
【図３】  本発明の一部である水入れの斜視図
【図４】  本発明の使用状態の一例を示す斜視図
【考案を実施するための形態】
【０００８】  以下、本発明の実施の形態を説明する。
台座（４）の一辺に、ほぼＬ字型又は湾曲Ｌ字型に立てられたフロントパネル部（１）に適宜な大きさの切り抜かれた窓部（３）を設ける。窓部（３）の裏側に設けられた固定枠（７）に着脱式の格子又は網目シート（２）を設置する。台座（４）上面には、万能クロス・シャムワウのような吸水性に富んだ吸水シート（５）を設け、この上に水入れ（８）を置く。水入れ（８）の上面は開口部であり、開口部の後部側（フロントパネルから見て反対側）の縁の上面に複数のネット取り付け突起部（１０）を設け、対向側の縁近くの縦面にも２箇所程にネット受け突起部（１１）を設ける。茎飛び出し防止ネット（１２）の一端を、他端（先端）をネット受け突起部（１１）の下にくるようにして、ネット取り付け突起部（１０）に取付ける。茎飛び出し防止ネット（１２）の先端は、ネット受け突起部（１１）より下方に自由に上下動ができる。水入れ（８）の容器の外側に一箇所排水栓（９）を設ける。
本発明は以上のような構成であり、これを実際に使用する時は、フロントパネル部（１）の裏側に設けられた固定枠（７）に、花の茎の大きさなどに応じて格子又は網目シート（２）を使い分けて設置する。フロントパネル部（１）の前面から、窓部（３）の格子又は網目シート（２）の網目より花の茎を挿し入れる。台座（４）上面に設けられた吸水シート（５）の上に水入れ（８）を置く。水入れ（８）の上面は開口部であり開口部の後部側（フロントパネルから見て反対側）の縁の上面に複数のネット取り付け突起部（１０）を設け、対向側の縁近くの縦面にも２箇所程度にネット受け突起部（１１）を設ける。茎飛び出し防止ネット（１２）の一端を、他端（先端）をネット受け突起部（１１）の下にくるようにして、ネット取り付け突起部（１０）に取付ける。茎飛び出し防止ネット（１２）の先端は、ネット受け突起部（１１）より下方に自由に上下動ができる。フロントパネル部（１）より挿入された花の茎は、茎飛び出し防止ネット（１２）の目を通し安定させる。台座（４）には、水の取り換え時などに生じる水漏れを防止するために、万能クロス・シャムワウのような吸水性に富んだ吸水シート（５）を設ける。水入れ（８）に水を適量注ぐ。水を取り換える際には、水入れ（８）の排水栓（９）を外し行う。格子又は網目シート（２）の目の大きさや形状は、蜂の巣型、四角、丸型、ひし形など適宜変えられる。茎飛び出し防止ネット（１２）は粗目の方が使い易い。フロントパネル部（１）と台座（４）は一体型、或いは角度調節フック（６）などによりフロントパネル（１）の角度が調節できる連結型などがある。
【産業上の利用可能性】
【０００９】（イ）式場（結婚式、葬儀、パーティ−など）の花の装飾。
（ロ）放送局のセット
（ハ）会社などの受付の装飾
（ニ）ホテルなどの施設の装飾
（ホ）花屋、花の教室
（ヘ）雑貨小物店
（ト）一般家庭用
【符号の説明】
【００１０】（１）フロントパネル部、（２）格子又は網目シート、（３）窓部、（４）台座、（５）吸水シート、（６）角度調節フック、（７）固定枠、（８）水入れ、（９）排水栓、（１０）ネット取り付け突起部、（１１）ネット受け突起部、（１２）茎飛び出し防止ネット
【図１】
0003162547.tif 000003
【図２】
0003162547.tif 000004
【図３】
0003162547.tif 000005
【図４】
0003162547.tif 000006
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
台座の一辺に、ほぼＬ字型又は湾曲Ｌ字型に立てられたフロントパネル部に適宜な大きさの切り抜かれた窓部を設け、窓部の裏側に設けられた固定枠に着脱式の格子又は網目シートを設置し、台座上面には、万能クロス・シャムワウのような吸水性に富んだ吸水シートを設け、この上に水入れを置き、水入れの上面は開口部であり、フロントパネルから見て反対側となる開口部の後部側の縁の上面に複数のネット取り付け突起部を設け、対向側の縁近くの縦面にも２箇所程にネット受け突起部を設け、茎飛び出し防止ネットの一端を、ネット取り付け突起部に取り付け、他端の先端部は、ネット受け突起部の下にくるように設置することによって、ネット受け突起部より下方に自由に上下動が出来るようにしたものであり、また、水入れの容器の外側に一箇所排水栓を設けたことを特徴とする立体フラワーベース。